(57)【特許請求の範囲】
【請求項１】
その一端にハーネスが接続され、他端にコイルが接続された取付式の端子と、前記コイルとを収容するためのコイル収容ケースにおいて、
該コイル収容ケースは、筒状のコイル巻き取り体と、該コイル巻き取り体をカバーするカバー体とを含んで構成され、
前記コイル巻き取り体に、コイル巻き取り部と端子収容部とに区切る絶縁壁が形成され、
前記端子収容部側の絶縁壁上に、前記コイル巻き取り体の中心を挟んで左右両側に別れた突起状の端子固定部が形成され、該突起状の端子固定部に、前記端子が嵌め込まれるように構成され、
前記絶縁壁と対面する前記カバー体の環状部に、前記端子固定部に嵌め込まれた前記端子を抑え込むための突起状の端子固定部が形成されていることを特徴とするコイル収容ケース。
【請求項２】
前記絶縁壁上に、前記端子収容部を２部屋に区切る隔壁が形成されていることを特徴とする請求項１記載のコイル収容ケース。
【発明の詳細な説明】
【０００１】
【発明の属する技術分野】
本発明はコイル収容ケースに関し、より詳細には、例えば電子機器のＥＣＵ（エレクトロ・コントロール・ユニット）等に接続され、特定周波数の電波をキャッチするアンテナの役割を担うコイルのコイル収容ケースに関する。
【０００２】
【従来の技術】
車の盗難防止対策としては従来から様々の方法が採られているが、最近では合鍵等による車の盗難防止のため、所定の周波数の電波を発する鍵が用いられるようになってきている。前記鍵による車の盗難防止対策は以下の通りである。
【０００３】
鍵自体には特定の周波数の電波を発振させる発振器が装備され、キーシリンダ側にはＥＣＵに接続されたアンテナが装備され、車体側の前記ＥＣＵには前記特定周波数で特定される番号が記憶されている。また前記ＥＣＵにあっては前記鍵によりスタータがオンされた場合に、前記鍵が発している電波の周波数とＥＣＵに記憶されている前記番号とが一致するか否かを判断し、一致すると判断した場合にはセルモータの回転と同時に燃料の噴射を指示してエンジンを作動させ、一致しないと判断した場合にはセルモータの回転は指示するものの燃料噴射の指示は行わず、エンジンを作動させない。前記鍵が発している電波をＥＣＵが認識するためには該電波をキャッチするための前記アンテナが必要であるが、該アンテナとしては一般にコイルが用いられている。
【０００４】
図５（ａ）は前記アンテナを構成するコイルがハーネスと接続された状態を示した模式的斜視図であり、（ｂ）は前記ハーネスと接続されたコイル、及びそれを収容するケースを示した模式的斜視図である。
【０００５】
図中５４はコイルを示しており、図中１３は絶縁加工されたハーネスを示している。コイル５４は導線が同一軸心で環状に巻かれることにより形成されており、コイル５４の巻き初めの導線５４ａには真鍮等の金属製の端子１５ａが、コイル５４の巻き終りの導線５４ｂには同様に端子１５ｂが接続されている。また、端子１５ａにはハーネス１３の一端部１３ａが接続されており、端子１５ｂにはハーネス１３の一端部１３ｂが接続されている。
【０００６】
図中５１はコイル５４を保護、収容するための、コイル収容ケースを示しており、コイル収容ケース５１はその中央部に円形の鍵差し込み孔５６ａが形成された環状の蓋体５６と、有底円筒形状体の底面中央部に同じく円形の鍵差し込み孔５７ａが形成された本体５７とから構成されている。本体５７の円筒部の所定箇所にはハーネス１３の一端部１３ａ、１３ｂを引き出すための切り欠き部５７ｂが形成されている。
【０００７】
コイル５４をコイル収容ケース５１内に収容するにあたっては、コイル５４と端子１５ａ、１５ｂとが接触してショートが発生するのを防止するために、端子１５ａ、１５ｂをそれぞれ絶縁皮膜５５で覆っておき、さらにコイル５４の片面に絶縁皮膜５５を密着させ、端子１５ａ、１５ｂを絶縁皮膜５５を介してコイル５４の前記片面に配置する。この後コイル５４を蓋体５６及び本体５７に収容し、ハーネス１３の一端部１３ａ、１３ｂを本体５７の切り欠き部５７ｂに嵌込むと共にハーネス１３の一端部１３ａ、１３ｂ以外の部分をコイル収容ケース５１外に配置し、ＥＣＵへ接続する。
【０００８】
【発明が解決しようとする課題】
しかしながら上記したコイル収容ケース５１内にコイル５４を収容するには、コイル５４の片面及び端子１５ａ、１５ｂを絶縁皮膜５５で被覆しておく必要があり、作業性が劣ると共に絶縁の確実性が低いという課題があった。
【０００９】
本発明はこのような課題に鑑みなされたものであり、コイルと端子、あるいは端子同士を確実に絶縁し得ると共に作業性を向上させることができるコイル収容ケースを提供することを目的としている。
【００１０】
【課題を解決するための手段】
上記目的を達成するために本発明に係るコイル収容ケースは、その一端にハーネスが接続され、他端にコイルが接続された取付式の端子と、前記コイルとを収容するためのコイル収容ケースにおいて、該コイル収容ケースは、筒状のコイル巻き取り体と、該コイル巻き取り体をカバーするカバー体とを含んで構成され、前記コイル巻き取り体に、コイル巻き取り部と端子収容部とに区切る絶縁壁が形成され、前記端子収容部側の絶縁壁上に、前記コイル巻き取り体の中心を挟んで左右両側に別れた突起状の端子固定部が形成され、該突起状の端子固定部に、前記端子が嵌め込まれるように構成され、前記絶縁壁と対面する前記カバー体の環状部に、前記端子固定部に嵌め込まれた前記端子を抑え込むための突起状の端子固定部が形成されていることを特徴としている（１）。
【００１１】
上記コイル収容ケース（１）によれば、前記絶縁壁により前記コイル巻き取り部と前記端子収容部とが確実に隔離されることとなり、絶縁膜を用いずともコイルと端子とのショートが防止され、絶縁膜を準備、形成する必要がないため作業性が向上する。
【００１２】
また、前記端子収容部側の絶縁壁上に、前記コイル巻き取り体の中心を挟んで左右両側に別れた突起状の端子固定部が形成され、該突起状の端子固定部に、前記端子が嵌め込まれるように構成されているので、両端子を適切な位置に固定し得るため、端子同士が前記端子収容部内で一箇所に集まることがなく、端子同士の接触によるショートを確実に防止し得る。
【００１３】
また、前記絶縁壁と対面する前記カバー体の環状部に、前記端子固定部に嵌め込まれた前記端子を抑え込むための突起状の端子固定部が形成されているので、前記端子収容部側の絶縁壁上に形成された突起状の端子固定部に嵌込まれている前記端子を前記カバー体の環状部に形成された突起状の端子固定部により確実に抑え込むことができる。
【００１４】
また、本発明に係るコイル収容ケースは、上記（１）記載のコイル収容ケースにおいて、前記絶縁壁上に、前記端子収容部を２部屋に区切る隔壁が形成されていることを特徴としている（２）。
【００１５】
上記コイル収容ケース（２）によれば、前記コイル巻き取り部から引き出された導線が前記端子収容部において多少たるみを生じていても、たるんだ導線同士は前記隔壁により隔てられるため、導線同士のショートを確実に防止し得る。
【００１６】
【発明の実施の形態】
以下、本発明に係るコイル収容ケースの実施の形態を図面に基づいて説明する。なお、従来例と同一の機能を有する構成部品には同一の符合を付すものとする。
図１（ａ）は参考例に係るコイル収容ケースを示した模式的分解斜視図であり、（ｂ）はコイル収容ケース内にコイルを収容した状態を示す、端子部を含む模式的断面図である。
【００１７】
図中１は例えば樹脂製のコイル収容ケースを示しており、コイル収容ケース１はコイル巻き取り体１０とカバー体１２とから構成されている。カバー体１２は環状部１２ａと円筒体部１２ｃとから構成され、環状部１２ａの中央部は鍵差し込み孔１２ｂとなっており、円筒体部１２ｃの所定部には切り欠き部１２ｄが形成されている。また、円筒体部１２ｃの開放端にはコイル巻き取り体１０の所定部と嵌合させるための凸部１２ｅが複数個、延設されている。
【００１８】
コイル巻き取り体１０はカバー体１２の外周よりやや大きい外周を有し、鍵差し込み孔１２ｂと同じ大きさの鍵差し込み孔１８を有した環状の板部１６と、板部１６よりも小さい外周を有し、鍵差し込み孔１８を有した環状の絶縁壁１１を含んで構成されている。コイル巻き取り体１０においては板部１６と絶縁壁１１との平面方向が平行であり、両方の内周部が鍵差し込み孔１８を形成する円筒部分１７ａにより前記平面方向と垂直に接続された形状となっている。また、絶縁壁１１あるいは板部１６よりもカバー体１２側には円筒部分１７ａと同じ外周を有する円筒部分１７ｂが延設された形状となっている。また、板部１６の、カバー体１２に形成された凸部１２ｅと対向する箇所には嵌合孔１６ａが形成されている。円筒部分１７ａを底面とする、絶縁壁１１と板部１６との間の空間がコイル巻き取り部１０ａとなり、円筒部分１７ｂを底面とする絶縁壁１１よりもカバー体１２側の空間が端子収容部１０ｂとなっている。
【００１９】
このように構成されたコイル収容ケース１にあっては、コイル巻き取り体１０のコイル巻き取り部１０ａに導線が巻き付けられることによりコイル１４が形成され、巻き初めの導線５４ａと巻き終りの導線５４ｂが絶縁壁１１の切り欠き部１１ａ、１１ｂ（図示せず）から端子収容部１０ｂ側に引き出されている。引き出された導線５４ａ、５４ｂの一端には端子１５ａ、１５ｂがそれぞれ接続されており、端子１５ａ、１５ｂの他端にはハーネス１３の一端部１３ａ、１３ｂがそれぞれ接続されている。
【００２０】
コイル１４が収容されたコイル巻き取り体１０とカバー体１２との一体化は、ハーネス１３の一端部１３ａ、１３ｂがカバー体１２の切り欠き部１２ｄから外部に引き出される一方、カバー体１２の凸部１２ｅがコイル巻き取り体１０の嵌合孔１６ａに嵌込まれることにより行われる。
【００２１】
上記した構成のコイル収容ケース１にあっては、絶縁膜５５（図５）を用いなくても絶縁壁１１によりコイル巻き取り部１０ａと端子収容部１０ｂとが確実に隔離されることとなり、コイル１４と端子１５とのショートを確実に防止することができる。また、絶縁膜５５を準備、形成する必要がなく、またコイル１４に密着させる工程を必要としないため作業性を向上させることができる。
【００２２】
図２（ａ）は実施の形態１に係るコイル収容ケースを示した模式的分解斜視図であり、（ｂ）は模式的分解正面図である。
【００２３】
図中２はコイル収容ケースを示しており、コイル収容ケース２はコイル巻き取り体２０とカバー体２２とから構成されており、カバー体２２の環状部２２ａの所定箇所には突起状の端子固定部２２ｆが形成されている以外は参考例に係るカバー体１２と同様に構成されている。
【００２４】
また、コイル巻き取り体２０の絶縁壁２１にはコイル巻き取り体２０の中心線Ｂを挟んで左右両側の所定位置に正面視略Ｗ形状の導線捲回部２１ａが形成されている。また、導線捲回部２１ａから所定距離隔てコイル巻き取り体２０の中心線Ｂを挟んで左右両側の所定箇所には突起状の端子固定部２１ｂが形成されている。その他の部分は参考例の場合と同様に構成されている。
【００２５】
このように構成されたコイル収容ケース２にあっては、コイル巻き取り体２０のコイル巻き取り部１０ａに導線５４が巻き付けられることによりコイル１４が形成されており、巻き初めの導線５４ａと巻き終りの導線５４ｂがそれぞれ絶縁壁２１の導線捲回部２１ａに一旦掛止され、端子固定部２１ｂに固定された端子１５ａ、１５ｂに接続される。
【００２６】
コイル１４が収容されたコイル巻き取り体２０とカバー体２２との一体化は、ハーネス１３の一端部１３ａ、１３ｂがカバー体２２の切り欠き部２２ｄから外部に引き出される一方、カバー体２２の凸部２２ｅがコイル巻き取り体２０の嵌合孔１６ａに嵌込まれることにより行われ、この時、絶縁壁２１に形成された端子固定部２１ｂの突起に嵌込まれている端子１５ａ、１５ｂはカバー体２２の環状部２２ａに形成された端子固定部２２ｆにより確実に抑え込まれる。
【００２７】
上記した構成のコイル収容ケース２にあっては、端子収容部１０ｂにコイル巻き取り体２０の中心線Ｂを挟んで左右両側に別れた端子固定部２１ｂが形成されているので、端子１５を適切な位置に固定し得るため、端子収容部１０ｂ内で端子１５同士が一箇所に集まることがなく、端子１５同士の接触によるショートを確実に防止することができる。
【００２８】
図３（ａ）は実施の形態２に係るコイル収容ケース３を示した模式的分解斜視図であり、（ｂ）は模式的分解正面図である。
【００２９】
図中３はコイル収容ケースを示しており、コイル収容ケース３はコイル巻き取り体３０とカバー体２２とから構成されており、カバー体２２は実施の形態１の場合と同様に構成されている。
【００３０】
また、コイル巻き取り体３０では、コイル巻き取り体３０の絶縁壁３１上であってコイル巻き取り体３０の中心線Ｂ上の位置に端子収容部１０ｂを２部屋に区切る隔壁３１ａが形成されており、その他の部分は実施の形態１の場合と同様に構成されている。
【００３１】
上記した構成のコイル収容ケース３にあっては、端子収容部１０ｂを２部屋に区切る隔壁３１ａが形成されているので、コイル巻き取り部１０ａから引き出された導線５４ａ、５４ｂが導線捲回部２１ａにおいて多少たるみを生じていても、該たるんだ導線同士が接触するおそれがないため、導線５４ａ、５４ｂのショートを確実に防止することができる。
【００３２】
上記実施の形態１、２にあっては端子固定部２１ｂ及び端子１５の形態として図４（ａ）−（ａ´）に示すような形態としたが何らこれに限定されるものでなく、別の参考例では図４（ｂ）−（ｂ´）、（ｃ）−（ｃ´）に示すような形態であってもよい。
【００３３】
以下、図４（ａ）−（ａ´）、（ｂ）−（ｂ´）、（ｃ）−（ｃ´）に示した端子固定部及び端子の形態について説明する。（ａ）は図２、図３に示した実施の形態１、２に係る端子固定部２１ｂを示した部分拡大正面図であり、（ｂ）は別の参考例に係る端子固定部６１ｂを示した部分拡大斜視図であり、（ｃ）はさらに別の参考例に係る端子固定部７１ｂを示した部分拡大斜視図である。（ａ´）〜（ｃ´）はそれぞれ（ａ）〜（ｃ）に固定される端子１５、６５、７５を示した模式的斜視図である。
【００３４】
端子固定部２１ｂ（図４（ａ））は例えば２つの突起２１ｂ１ 、２１ｂ２ から構成されており、これら突起２１ｂ１ 、２１ｂ２ はこれら突起２１ｂ１ 、２１ｂ２ を結んだ線Ａがコイル巻き取り体２０（３０）の中心線Ｂと平行になるよう配置されている。一方、端子１５（図４（ａ´））は平面視長方形状の連結部１５ｅの両端から連結部１５ｅと垂直方向に同じく平面視長方形状の先端部１５ｄが延設された平面視略コの字形状の板部材から構成されており、先端部１５ｄが連結部１５ｅ側に丸く折り返された形状となっている。連結部１５ｅの所定箇所には端子固定部２１ｂの突起が嵌め込まれる貫通孔１５ｃが２つ形成されており、それぞれの貫通孔１５ｃの中心間の距離及び位置関係は突起２１ｂ１ 、２１ｂ２ と対応している。
【００３５】
端子固定部２１ｂに端子１５を固定するには、端子１５に形成された貫通孔１５ｃに端子固定部２１ｂの突起２１ｂ１ 、２１ｂ２ を嵌め込み、上記したようにカバー体２２の環状部２２ａに形成された端子固定部２２ｆにより、端子１５を抑えつける。
【００３６】
また、端子固定部６１ｂ（図４（ｂ））は平面視長方形状の板部材を側面視逆Ｊ字形状に変形させた構成となっており、前記板部材の端部６１ｃがコイル巻き取り体２０（３０）の中心線Ｂと平行に絶縁壁２１（３１）の所定箇所に固定され、他の端部６１ｄが絶縁壁２１（３１）の周縁部方向に開放された開放端となった形状を有している。一方、端子６５（図４（ｂ´））は円筒形状を呈しており、端子６５の中心部が貫通孔６５ｃとなっている。
【００３７】
端子固定部６１ｂに端子６５を固定するには、端子固定部６１ｂの開放端である端部６１ｄ側から端子６５を嵌め込む。端子固定部６１ｂは例えば樹脂製を有しているので、端子６５該弾力により端子固定部６１ｂにしっかり固定される。
【００３８】
また、端子固定部７１ｂ（図４（ｃ））は側面視逆Ｌ字形状の２つの板部材７１ｂ１ 、７１ｂ２ から構成されており、板部材７１ｂ１ 、７１ｂ２ の一端面７１ｄの延長線がコイル巻き取り体２０（３０）の中心線Ｂと垂直になるように一端面７１ｄにおいて絶縁壁２１（３１）の所定箇所に固定され、他の一端面７１ｅが各々接することなく平行に向き合う形状となっている。一方、端子７５（図４（ｃ´））は平面視長方形状の連結部７５ｅの両端において連結部７５ｅと垂直方向に先端部７５ａが延設された平面視略コの字形状の板部材からなり、先端部７５ａは先細形状のテーパ面７５ｂを有し、テーパ面７５ｂと先端部７５ａの側面７５ｄとは端子固定部７１ｂへの引っ掛け部となる面７５ｆにより連結されており、面７５ｆと側面７５ｄとは直角に交わっている。さらに連結部７５ｅにはその長軸方向に伸びる貫通孔７５ｃが形成されている。
【００３９】
端子固定部７１ｂに端子７５を固定するには、端子固定部７１ｂに図中矢印Ｄ方向から端子７５を先端部７５ａ側から嵌め込む。すると端子７５はテーパ面７５ｂにより案内されて先端部７５ａは内側に少し反らされ、面７５ｆが端子固定部７１ｂの端部を過ぎると先端部７５ａは弾性によりもとの形状に復帰し、面７５ｆが端子固定部７１ｂの端部に係合し、抜け止めとなる。
【００４０】
（ａ´）〜（ｃ´）の端子１５、６５、７５においてはいずれも図中矢印Ａ方向から導線５４ａあるいは５４ｂを貫通孔１５ｃ、６５ｃ、７５ｃに差し込み、図中矢印Ｂ方向からハーネスの一端部１３ａあるいは１３ｂを貫通孔１５ｃ、６５ｃ、７５ｃに差し込んで両方の箇所を溶接する。端子１５、６５、７５はいずれも真鍮などの金属性であり、前記溶接により導線５４ａ、５４ｂとハーネス１３とが導通されることとなる。
【００４１】
また上記実施の形態１、２にあっては切り欠き部２２ｄがカバー体２２の円筒体部２２ｃの所定箇所に形成されているが、何らこれに限定されるものでなく、別の実施の形態では環状部２２ａの所定箇所に形成されていてもよい。
【００４２】
【発明の効果】
以上詳述したように、上記コイル収容ケース（１）によれば、その一端にハーネスが接続され、他端にコイルが接続された取付式の端子と、前記コイルとを収容するためのコイル収容ケースにおいて、該コイル収容ケースは、筒状のコイル巻き取り体と、該コイル巻き取り体をカバーするカバー体とを含んで構成され、前記コイル巻き取り体に、コイル巻き取り部と端子収容部とに区切る絶縁壁が形成されているので、前記絶縁壁により前記コイル巻き取り部と前記端子収容部とが確実に隔離されることとなり、絶縁膜を用いずともショートを防止することができる。また、絶縁膜を準備、形成する必要がないため作業性を向上させることができる。
【００４３】
また、前記端子収容部側の絶縁壁上に、前記コイル巻き取り体の中心を挟んで左右両側に別れた突起状の端子固定部が形成され、該突起状の端子固定部に、前記端子が嵌め込まれるように構成されているので、両端子を適切な位置に固定し得るため、端子同士が前記端子収容部内で一箇所に集まることがなく、端子同士の接触によるショートを確実に防止することができる。
【００４４】
また、前記絶縁壁と対面する前記カバー体の環状部に、前記端子固定部に嵌め込まれた前記端子を抑え込むための突起状の端子固定部が形成されているので、前記端子収容部側の絶縁壁上に形成された突起状の端子固定部に嵌込まれている前記端子を前記カバー体の環状部に形成された突起状の端子固定部により確実に抑え込むことができる。
【００４５】
また、上記コイル収容ケース（２）によれば、上記（１）記載のコイル収容ケースであって、前記絶縁壁上に、前記端子収容部を２部屋に区切る隔壁が形成されているので、前記コイル巻き取り部から引き出された導線が前記端子収容部において多少たるみを生じていても、たるんだ導線同士は前記隔壁により絶縁されるため、導線同士のショートを確実に防止することができる。
【図面の簡単な説明】
【図１】  （ａ）は参考例に係るコイル収容ケースを示した模式的分解斜視図であり、（ｂ）はコイル収容ケース内にコイルを収容した状態を示す端子部を含む模式的断面図である。
【図２】  （ａ）は実施の形態１に係るコイル収容ケースを示した模式的分解斜視図であり、（ｂ）は模式的分解正面図である。
【図３】  （ａ）は実施の形態２に係るコイル収容ケースを示した模式的分解斜視図であり、（ｂ）は模式的分解正面図である。
【図４】  （ａ）〜（ｃ）は端子固定部を示した部分拡大正面図、部分拡大斜視図であり、（ａ´）〜（ｃ´）はそれぞれ（ａ）〜（ｃ）に固定される端子を示した斜視図である。
【図５】  （ａ）はアンテナとして用いられるコイルがハーネスと接続された状態を示した模式的斜視図であり、（ｂ）は前記ハーネスと接続されたコイル、及びそれを収容する従来のケースを示した模式的斜視図である。
【符号の説明】
１、２、３  コイル収容ケース
１０、２０、３０  コイル巻き取り体
１０ａ      コイル巻き取り部
１０ｂ      端子収容部
１４        コイル
１５        端子
【図１】
0003998274.tif 000002
【図２】
0003998274.tif 000003
【図３】
0003998274.tif 000004
【図４】
0003998274.tif 000005
【図５】
0003998274.tif 000006